(57)【要約】  スクロール流路とスクロール流路の吐出側に接続された吐出流路とを含む圧縮気体流路が設けられた遠心圧縮機の吐出部構造が提供される。吐出部構造は、スクロール流路と吐出流路との間の分岐部に設けられた舌部と、スクロール流路の原点側に曲率の中心を有する第１流路部分と、第１流路部分の吐出側に連通し、スクロール流路の外側に曲率の中心を有する第２流路部分と、を備える。第１流路部分は、少なくともスクロール流路の一部を含み、第２流路部分は、少なくとも吐出流路の一部を含む。舌部は、第２流路部分に面し、第２流路部分の途中に位置している。
2017098911.tif 000002
【特許請求の範囲】
【請求項１】
スクロール流路と前記スクロール流路の吐出側に接続された吐出流路とを含む圧縮気体流路が設けられた遠心圧縮機の吐出部構造であって、
前記スクロール流路と前記吐出流路との間の分岐部に設けられた舌部と、
前記スクロール流路の原点側に曲率の中心を有する第１流路部分と、
前記第１流路部分の吐出側に連通し、前記スクロール流路の外側に曲率の中心を有する第２流路部分と、を備え、
前記第１流路部分は、少なくとも前記スクロール流路の一部を含み、
前記第２流路部分は、少なくとも前記吐出流路の一部を含み、
前記舌部は、前記第２流路部分に面すると共に、前記第２流路部分の途中に位置している、遠心圧縮機の吐出部構造。
【請求項２】
前記舌部は、前記第２流路部分の中央部または前記中央部よりも下流側に位置する、請求項１に記載の遠心圧縮機の吐出部構造。
【請求項３】
前記スクロール流路の前記原点を通る中心軸線に直交する断面において、前記舌部の前記スクロール流路側の壁面と、前記舌部の前記吐出流路側の壁面とのなす角は、５０°以上である、請求項１に記載の遠心圧縮機の吐出部構造。
【請求項４】
前記スクロール流路の前記原点を通る中心軸線に直交する断面において、前記舌部の前記スクロール流路側の壁面と、前記舌部の前記吐出流路側の壁面とのなす角は、５０°以上である、請求項２に記載の遠心圧縮機の吐出部構造。
【発明の詳細な説明】
【技術分野】
【０００１】
本開示は、遠心圧縮機の吐出部構造に関する。
【背景技術】
【０００２】
従来、遠心圧縮機のスクロール等、コンプレッサハウジングに関する構造が種々検討されている。たとえば、特許文献１に記載されるように、ターボ過給機のコンプレッサハウジングにおいて、舌部を始点とし、時計回りに徐々に断面積が増加し、吐出管へとつながる渦巻き状のスクロールが知られている。舌部は、スクロールと吐出管との分岐点に形成されている。この構造では、舌部をスクロールの始点および終点と定めており、始点を０°として右回りに角度をとり、３６０°を終点として、この位置でスクロールが終了する。スクロールの終点に続く部分は吐出管とされている。
【先行技術文献】
【特許文献】
【０００３】
【特許文献１】特開２００５−２０７３３７号公報
【発明の概要】
【発明が解決しようとする課題】
【０００４】
従来のコンプレッサハウジングでは、吐出部の形状がストレートに構成されている場合が多かった。吐出部がストレートに構成されている場合、ピーク効率を示す流量よりも大流量側において、流れの衝突による損失が発生する傾向にある。その結果として、効率の低下が発生する。【０００５】
本開示は、吐出部における効率の低下を抑制することができる遠心圧縮機の吐出部構造を説明する。
【課題を解決するための手段】
【０００６】
発明者は、スクロール流路あるいは吐出流路における、流れの衝突による損失の発生要因とその改善策について、鋭意検討を重ねた。その結果、発明者は、吐出流路の形状と、それに対する舌部の位置を工夫することにより、上記課題を解決可能であることを見出した。すなわち、従来のストレートに構成された吐出部では、たとえばディフューザ等からの流れが舌部に衝突することが要因となって、損失が発生していることが判明した。【０００７】
本開示の一態様は、スクロール流路とスクロール流路の吐出側に接続された吐出流路とを含む圧縮気体流路が設けられた遠心圧縮機の吐出部構造であって、スクロール流路と吐出流路との間の分岐部に設けられた舌部と、スクロール流路の原点側に曲率の中心を有する第１流路部分と、第１流路部分の吐出側に連通し、スクロール流路の外側に曲率の中心を有する第２流路部分と、を備え、第１流路部分は、少なくともスクロール流路の一部を含み、第２流路部分は、少なくとも吐出流路の一部を含み、舌部は、第２流路部分に面すると共に、第２流路部分の途中に位置している。
【発明の効果】
【０００８】
本開示の一態様によれば、気体の流れが舌部に衝突することを抑制し、その結果として損失を低減し、吐出部における効率の低下を抑制することができる。
【図面の簡単な説明】
【０００９】
【図１】図１は本開示の一実施形態が適用されたコンプレッサを含む過給機の断面図である。
【図２】図２は図１中のコンプレッサハウジングの斜視図である。
【図３】図３は圧縮気体流路の外形を示す斜視図である。
【図４】図４は圧縮気体流路の外形を示す図であり、原点を通る中心軸線に直交する面で切断した断面図である。
【図５】図５（ａ）は巻き終わり部と舌部との関係を示す図、図５（ｂ）は中心軸線を含む平面で切断した流路の断面図である。
【図６】図６は巻き終わり部から吐出流路にかけての流路形状を示す図である。
【図７】図７（ａ）は周方向角度と原点から流路中心までの距離との関係を示す図、図７（ｂ）は周方向角度と流路の断面積との関係を示す図である。
【図８】図８（ａ）は図３に示す本実施形態の吐出部構造における全圧分布を示す図、図８（ｂ）は図９に示す比較例の吐出部構造における全圧分布を示す図である。
【図９】図９は比較例に係る圧縮気体流路の外形を示す斜視図である。
【図１０】図１０（ａ）は変形例に係る圧縮気体流路の外形を示す図、図１０（ｂ）は他の変形例に係る圧縮気体流路の外形を示す図である。
【発明を実施するための形態】
【００１０】
本開示の一態様は、スクロール流路とスクロール流路の吐出側に接続された吐出流路とを含む圧縮気体流路が設けられた遠心圧縮機の吐出部構造であって、スクロール流路と吐出流路との間の分岐部に設けられた舌部と、スクロール流路の原点側に曲率の中心を有する第１流路部分と、第１流路部分の吐出側に連通し、スクロール流路の外側に曲率の中心を有する第２流路部分と、を備え、第１流路部分は、少なくともスクロール流路の一部を含み、第２流路部分は、少なくとも吐出流路の一部を含み、舌部は、第２流路部分に面すると共に、第２流路部分の途中に位置している。
【００１１】
この遠心圧縮機の吐出部構造によれば、少なくとも吐出流路の一部を含む第２流路部分は、スクロール流路の外側に曲率の中心を有している。すなわち、スクロール流路の原点側に曲率の中心を有する第１流路部分とは、湾曲する方向が逆である。第２流路部分の途中には、第２流路部分に面する舌部が位置している。このように外側に向けて湾曲する第２流路部分の途中に舌部が設けられていることで、舌部は、カーブを描く第２流路部分の外周側に位置する。よって、吐出流路がストレートである場合に比べて、舌部が流れに対して遠くに位置し、舌部に流れが衝突しにくい。このような湾曲形状の吐出流路と舌部との位置関係により、損失を低減することができる。その結果として、吐出部における効率の低下が抑制される。
【００１２】
いくつかの態様において、舌部は、第２流路部分の中央部または中央部よりも下流側に位置してもよい。この構成によれば、舌部の位置がより遠くなり、上記効果が更に顕著に発揮され得る。
【００１３】
いくつかの態様において、スクロール流路の原点を通る中心軸線に直交する断面において、舌部のスクロール流路側の壁面と、舌部の吐出流路側の壁面とのなす角は、５０°以上であってもよい。
【００１４】
以下、本開示の実施形態について、図面を参照しながら説明する。なお、図面の説明において同一要素には同一符号を付し、重複する説明は省略する。本実施形態において「上流」または「下流」という場合、気体の流れ方向を基準とする。
【００１５】
図１を参照して、本実施形態の吐出部構造が適用された過給機１について説明する。図１に示されるように、過給機１は、例えば、船舶や車両の内燃機関に適用されるものである。過給機１は、タービン２とコンプレッサ（遠心圧縮機）３とを備えている。タービン２は、タービンハウジング４と、タービンハウジング４に収納されたタービン翼車６と、を備えている。タービンハウジング４は、内側の周縁部で周方向に延びるスクロール部４ａを有している。コンプレッサ３は、コンプレッサハウジング５と、コンプレッサハウジング５に収納されたコンプレッサ翼車７と、を備えている。コンプレッサハウジング５は、内側の周縁部で周方向に延びるスクロール部５ａを有している。
【００１６】
タービン翼車６は回転軸１４の一端に設けられており、コンプレッサ翼車７は回転軸１４の他端に設けられている。コンプレッサ翼車７は、回転軸１４の他端に設けられたナット１６によって回転軸１４に固定されている。タービンハウジング４とコンプレッサハウジング５との間には、軸受ハウジング１３が設けられている。回転軸１４は、ジャーナル軸受１５を介して軸受ハウジング１３に回転可能に支持されており、回転軸１４、タービン翼車６およびコンプレッサ翼車７が一体の回転体１２として回転軸線Ｈ周りに回転する。
【００１７】
タービンハウジング４には、排気ガス流入口（図示せず）および排気ガス流出口１０が設けられている。内燃機関（図示せず）から排出された排気ガス（流体）が、排気ガス流入口を通じてタービンハウジング４内に流入し、スクロール部４ａ内のスクロール流路１９を通じてタービン翼車６に流入し、タービン翼車６を回転させる。その後、排気ガスは、排気ガス流出口１０を通じてタービンハウジング４外に流出する。
【００１８】
コンプレッサハウジング５には、吸入口９および吐出口１１（図２参照）が設けられている。上記のようにタービン翼車６が回転すると、回転軸１４を介してコンプレッサ翼車７が回転する。回転するコンプレッサ翼車７は、吸入口９を通じて外部の空気を吸入し、圧縮して、スクロール部５ａ内のスクロール流路２１を通じて吐出口から吐出する。吐出口１１から吐出された圧縮空気は、前述の内燃機関に供給される。
【００１９】
次に、図２〜図４を参照して、本実施形態の吐出部構造が適用されたコンプレッサハウジング５について説明する。図２に示されるように、コンプレッサハウジング５は、渦巻き状のスクロール部５ａと、スクロール部５ａの中央に設けられた円筒状の吸入管５ｂと、スクロール部５ａに連結され、上記の吐出口１１を含む吐出管５ｃとを備えている。コンプレッサハウジング５は、内部に新規な圧縮気体流路２０を含むことにより、特に大流量における流れの損失を低減し、効率の向上を図ることを可能にする。特に、コンプレッサハウジング５では、スクロール部５ａから吐出管５ｃにかけての内部の流路形状に特徴がある。
【００２０】
図３は、圧縮気体流路２０の外形を示す斜視図である。図４は、圧縮気体流路２０の外形を示す図であり、例えば、スクロール流路２１の原点Ｃを通る回転軸線Ｈ（中心軸線）に直交する面で切断した断面図である。図３に示されるように、コンプレッサハウジング５内に設けられた圧縮気体流路２０は、渦巻き状のスクロール流路２１と、このスクロール流路２１の吐出側に接続された吐出流路２２とを含んでいる。ここで、圧縮気体流路２０の外形は、たとえば、各流路断面の外側壁面が径方向で最大となる位置（最外周部という）、および、内側壁面が径方向で最小となる位置（最内周部という）を結んだ曲線となる。これらの最外周部および最内周部の回転軸線Ｈ方向の高さ（回転軸線Ｈに垂直なコンプレッサハウジング５の底面からの長さ）は、同一であるとは限らない。この場合、たとえば、回転軸線Ｈ方向の高さが異なっていても、原点Ｃを通る回転軸線Ｈに直交する面上に対し、上記の最外周部および最内周部を回転軸線Ｈ方向に投影し、その投影された外周ラインと内周ラインとが圧縮気体流路２０の外形であると考えてもよい。コンプレッサ翼車７によって送られた空気は、ディフューザ１７（図５（ｂ）参照）を経由して圧縮気体流路２０に集められ、吐出口１１から吐出される。環状のディフューザ１７は、回転軸線Ｈ方向に一定の高さを有する平行流路である。ディフューザ１７は、コンプレッサ翼車７が配置される空間と圧縮気体流路２０との間に設けられて、これらを連絡する。圧縮気体流路２０の内周側には、環状のディフューザ出口２１ｃが表れる。スクロール流路２１の原点Ｃとは、例えば、スクロール流路２１における各流路断面の内側壁部２３、または外側壁部２４の回転軸線Ｈからの径方向距離の基準となる点である。この場合、回転軸線Ｈは、原点Ｃを通る。回転軸線Ｈは、例えば、コンプレッサハウジング５の構造、または、コンプレッサハウジング５と軸受ハウジング１３との嵌合構造に基づいて定められ得る（図１参照）。回転軸線Ｈは、吸入管５ｂの内周面（すなわち吸入口９）の軸心であってもよい。回転軸線Ｈは、ディフューザ１７を形成するコンプレッサハウジング５の壁部５ｄ（スクロール流路２１に面する壁部）の外周側の先端部、すなわちディフューザ１７の外周縁１７ａの軸心であってもよい。回転軸線Ｈは、コンプレッサハウジング５と軸受ハウジング１３との嵌め合い部１８の軸心であってもよい。吸入管５ｂの内周面、ディフューザ１７の外周縁１７ａ、嵌め合い部１８が、それぞれ円形である場合は、上記したように、回転軸線Ｈは、それらの軸心（中心）であり得る。吸入管５ｂの内周面、ディフューザ１７の外周縁１７ａ、嵌め合い部１８が、円形ではない場合（真円ではない場合）は、回転軸線Ｈは、それらの面積中心であってもよい。
【００２１】
図２〜図４に示されるように、スクロール流路２１と吐出流路２２との分岐部には、舌部３０が設けられている。この舌部３０に対応する巻き始め部２１ａから、巻き終わり部２１ｂに至るまでが、圧縮気体流路２０におけるスクロール流路２１とされている。より具体的には、巻き始め部２１ａから巻き終わり部２１ｂまでの周方向の角度は、たとえば３００°程度になっている。この態様に限られず、巻き始め部２１ａから巻き終わり部２１ｂまでの周方向の角度は、３００°未満であってもよく、３００°以上であってもよい。吐出管５ｃの形状や吐出口１１の位置、設計手法等により、スクロール流路２１の範囲は変化し得る。スクロール流路２１は、一周（すなわち３６０°）にわたって連続していてもよい。
【００２２】
本実施形態では、舌部３０に対応する位置でスクロール流路２１が始まり、代表断面Ａ（図５（ａ）参照）の位置でスクロール流路２１が終わる。スクロール流路２１に続く流路は、上記の吐出流路２２である。吐出流路２２は、過給機１の使用形態によって吐出口１１の位置または形状が変更されるのに伴って、あらゆる形状または大きさになり得る。所定の吐出口１１に対して、効率が高まるように、スクロール流路２１および吐出流路２２の形状が決定される。
【００２３】
図４に示されるように、圧縮気体流路２０は、吐出流路２２の範囲内において、外側に湾曲する形状の第２流路部分Ｆ２を有する。すなわち、圧縮気体流路２０は、原点Ｃ側（言い換えれば内側）に曲率の中心を有する第１流路部分Ｆ１と、第１流路部分Ｆ１に連続するように設けられ、スクロール流路２１の外側に曲率の中心を有する第２流路部分Ｆ２とを備えている。
【００２４】
ここで、各流路部分の曲率は、たとえば、原点Ｃを通る平面で圧縮気体流路２０を切断した場合に、その断面の中心（重心あるいは図心、図５（ｂ）の中心Ｐ参照）を結んだ曲線によって定まる。この中心を結んだ曲線は、同一平面上に位置するとは限らない。たとえば、中心を結んだ曲線を、原点Ｃを通る軸線方向に投影し、当該軸線に直交する平面上に投影された中心線Ｌに基づいて、各流路部分の曲率を算出してもよい。
【００２５】
なお、断面の中心によって曲率が定められる場合に限られず、断面のうち原点Ｃにもっとも近い部分（図５（ｂ）の内端Ｅ参照）に基づいて、各流路部分の曲率が定められてもよい。これとは逆に、原点Ｃからもっとも遠い部分に基づいて、各流路部分の曲率が定められてもよい。
【００２６】
各流路部分の曲率は、箇所に応じて変化し得る。圧縮気体流路２０では、曲率の中心がスクロール流路２１の内側にあるか外側にあるかによって、第１流路部分Ｆ１と第２流路部分Ｆ２とが定められている。上記した中心線Ｌは、第１流路部分Ｆ１に対応する第１中心線Ｌ１と、第２流路部分Ｆ２に対応する第２中心線Ｌ２とを含んでいる。第１中心線Ｌ１の曲率の中心はスクロール流路２１の内側に位置しており、第２中心線Ｌ２の曲率の中心はスクロール流路２１の外側に位置している。すなわち、第１流路部分Ｆ１と第２流路部分Ｆ２の間で、曲率は変化している（変曲点が存在する）。
【００２７】
第１流路部分Ｆ１は、スクロール流路２１の内周側を概ね構成する内側壁部２３と、スクロール流路２１の外周側を概ね構成する外側壁部２４とを含む。第２流路部分Ｆ２は、吐出流路２２の外周側を概ね構成する外側壁部２５と、吐出流路２２の内周側を概ね構成する内側壁部２６とを含む。外側壁部２４は内側壁部２６に連続している。外側壁部２４と外側壁部２５との間に、舌部３０が設けられている。
【００２８】
スクロール流路２１および第１流路部分Ｆ１は、一致した範囲であってもよいし、異なる範囲であってもよい。スクロール流路２１および第１流路部分Ｆ１は、異なる範囲である場合であっても、部分的には重なっている。吐出流路２２および第２流路部分Ｆ２は、一致した範囲であってもよいし、異なる範囲であってもよい。吐出流路２２および第２流路部分Ｆ２は、異なる範囲である場合であっても、部分的には重なっている。言い換えれば、第１流路部分Ｆ１は、少なくともスクロール流路２１の一部を含んでいる。第２流路部分Ｆ２は、少なくとも吐出流路２２の一部を含んでいる。
【００２９】
たとえば、図４に示される例では、スクロール流路２１および第１流路部分Ｆ１の一方の端点（上流側の端点）は一致しており、他方の端点（下流側の端点）は一致していない。吐出流路２２および第２流路部分Ｆ２に関しては、一方の端点（上流側の端点）も他方の端点（下流側の端点）も一致していない。
【００３０】
このような圧縮気体流路２０において、外側に湾曲した第２流路部分Ｆ２の途中には、舌部３０が位置している。舌部３０は、第２流路部分Ｆ２に面している（すなわち、第２流路部分Ｆ２に臨んでいる）。言い換えれば、第２流路部分Ｆ２は、舌部３０の位置を含んでいる。なお、吐出流路２２も、舌部３０の位置を含んでいる。
【００３１】
より詳しくは、舌部３０は、第２流路部分Ｆ２の中央部に位置している。上述したように、第２流路部分Ｆ２は外側に湾曲しているので、外側壁部２５によって、カーブの外周部分が構成されている。第１流路部分Ｆ１の内側壁部２３と第２流路部分Ｆ２の外側壁部２５とは、舌部３０が臨んでいる領域において連続しておらず、その間は空間となっているが、内側壁部２３と外側壁部２５とを滑らかに結ぶ仮想面２７を想定することができる。仮想面２７および外側壁部２５によって、第２流路部分Ｆ２の凸形状の壁部が形成されている。なお、外側壁部２５の上流側の端部は舌部３０の先端３０ａになっているので、仮想面２７は、この先端３０ａを通っている。
【００３２】
舌部３０は、凸形状の壁部の中央部に位置している。なお、舌部３０は、凸形状の壁部の上流側に位置してもよいし、下流側に位置してもよい。少なくとも、舌部３０は、第２流路部分Ｆ２の始点の外周壁部Ｗａと、第２流路部分Ｆ２の終点の外周壁部Ｗｂとを結んだ仮想線２８よりも、外周側（図４における下側）に位置している。言い換えれば、吐出流路２２は、カーブした形状に沿った位置に存在するが、従来のストレートな吐出部形状を基準として考えると、より引っ込んだ位置に存在している。なお、舌部３０は、第２流路部分Ｆ２の中央部よりも下流側に位置してもよい。
【００３３】
また、別の観点から舌部３０の特徴を説明すると、原点Ｃを通る中心軸線に直交する断面において、舌部３０のスクロール流路２１側の壁面である外側壁部２４と、舌部３０の吐出流路２２側の壁面である外側壁部２５とのなす角（これらは先端３０ａで交わる）は、５０°以上になっている。この舌部３０の角度は、３０°以上５０°未満であってもよいし、５０°以上であってもよい。
【００３４】
なお、別の観点では、圧縮気体流路２０を以下のように説明することもできる。ここで、スクロール流路２１の曲率半径の中心と舌部３０の先端３０ａとを結んだ直線に垂直な平面を想定する。たとえば、この平面は、上記２点間の垂直二等分面と考えてもよい。舌部３０の位置における吐出流路２２の曲率半径の中心は、その平面を挟んで、スクロール流路２１の曲率半径の中心とは反対側に位置している。このような特徴は、上述した第２流路部分Ｆ２と同じ技術的事項を意味している。
【００３５】
続いて、図５を参照して、代表断面Ａを基準とした圧縮気体流路２０の特徴について説明する。図５（ａ）に示されるように、圧縮気体流路２０において、代表断面Ａを３６０°の位置の断面としている。この代表断面Ａは、吐出流路２２を基準として、舌部３０よりも上流側に数十度（たとえば３０〜６０°）ずれた位置にある断面である。代表断面Ａは、吐出流路２２を基準として、舌部３０よりも上流側に５０°または６０°ずれた位置にある断面であってもよい。
【００３６】
代表断面Ａの一例について説明すると、図７（ａ）に示されるように、原点Ｃから圧縮気体流路２０の中心Ｐまでの距離Ｒ（図５（ｂ）参照）が略一定の傾きをもって増加している最終の領域が、代表断面Ａであるとしてもよい。一方、図７（ｂ）に示されるように、圧縮気体流路２０の断面積が略一定の傾きをもって増加している最終の領域が、代表断面Ａであるとしてもよい。たとえば、代表断面Ａは、周方向角度において３６０〜３９０°の範囲のいずれかの位置の断面であってもよい。代表断面Ａは、周方向角度において３６０°の位置の断面であってもよい。
【００３７】
圧縮気体流路２０において、原点Ｃと代表断面Ａとを結ぶ方向をＹ軸方向とし、原点Ｃと代表断面Ａとを含む平面に直交する方向をＸ軸方向とする。その場合、図６に示されるように、代表断面Ａに対応する巻き終わり部２１ｂ以降において、Ｘ方向に対するＹ方向の値の変化傾向を見ると、Ｘ軸から流路断面の中心Ｐまでの距離と、Ｘ軸から、Ｘ軸にもっとも近い部分である内端Ｅまでの距離は、いずれも下に凸な形状をなしている。
【００３８】
従来の吐出部構造によれば、巻き終わり部２１ｂから吐出口１１に向けてストレートな流路形状とすることが多かった。すなわち、図６に破線で示されるような、直線的な形状とすることが多かった。これに対し、本実施形態の圧縮気体流路２０では、下に凸な形状の流路になっている。この特徴は、上述した第２流路部分Ｆ２と同じ技術的事項を意味している。
【００３９】
以上説明したコンプレッサハウジング５の吐出部構造と、従来の吐出部構造とを流体解析によって評価したところ、次に示す結果が得られた。図８（ａ）は、本実施形態の吐出部構造における全圧分布を示す図であり、図８（ｂ）は、図９に示す比較例の吐出部構造における全圧分布を示す図である。この図では、流路内の全圧が、濃淡で示されている。すなわち、薄く表示されたエリアほど全圧が高く、濃く表示されたエリアほど全圧が低い。
【００４０】
本実施形態に係る圧縮気体流路２０では、第２流路部分Ｆ２において、全圧の低下が抑制されていることがわかる。
【００４１】
図９に示される従来の圧縮気体流路１２０は、スクロール流路１２１と、吐出流路１２２とを含んでおり、吐出流路１２２はストレートな形状である。巻き始め部１２１ａから巻き終わり部１２１ｂにかけての流路の形状やディフューザ出口１２１ｃの厚み等は、本実施形態の圧縮気体流路２０と大きく変わらないが、舌部１３０の位置および形状は、異なっている。すなわち、巻き終わり部１２１ｂに対して、舌部１３０はＹ方向に高い位置にある。当然ながら、圧縮気体流路１２０には第２流路部分Ｆ２は形成されていない。
【００４２】
図８（ｂ）に示されるように、圧縮気体流路１２０では、ディフューザ出口１２１ｃからの流れが舌部１３０に衝突し、舌部１３０の周辺の広い範囲で全圧が低下している。その結果、吐出口１１１において損失が発生している。
【００４３】
以上より、圧縮気体流路２０の効率面における有効性が確認された。
【００４４】
以上説明したコンプレッサ３の吐出部構造によれば、少なくとも吐出流路２２の一部を含む第２流路部分Ｆ２は、スクロール流路２１の外側に曲率の中心を有している。すなわち、スクロール流路２１の原点Ｃ側に曲率の中心を有する第１流路部分Ｆ１とは、湾曲する方向が逆である。第２流路部分Ｆ２の途中には、第２流路部分Ｆ２に面する舌部３０が位置している。このように外側に向けて湾曲する第２流路部分Ｆ２の途中に舌部３０が設けられていることで、舌部３０は、カーブを描く第２流路部分Ｆ２の外周側に位置する。よって、吐出流路２２がストレートである場合に比べて、舌部３０が流れに対して遠くに位置し、舌部３０に流れが衝突しにくい。このような湾曲形状の吐出流路２２と舌部３０との位置関係により、損失が低減される。その結果として、吐出口１１における効率の低下が抑制される。この効果は、ピーク効率を示す流量よりも大流量側において、特に有効に発揮される。従来のストレートな吐出部形状では、大流量になると効率が低下する傾向にあったが、本実施形態では、この点が改善されている。
【００４５】
舌部３０が第２流路部分Ｆ２の中央部または中央部よりも下流側に位置すると、舌部３０の位置が代表断面Ａより遠くなり、上記効果が更に顕著に発揮され得る。
【００４６】
舌部３０のスクロール流路２１側の壁面である外側壁部２４と、舌部３０の吐出流路２２側の壁面である外側壁部２５とのなす角を５０°以上に形成すると、ディフューザ流路（スクロール流路）と吐出流路が滑らかにつながることで、例えばディフューザ流路から流入される流れの乱れが低減し、上記効果が更に顕著に発揮され得る。
【００４７】
以上、本開示の実施形態について説明したが、本発明は上記の実施形態に限られない。たとえば、図１０に示される各種の変形態様を採ってもよい。図１０（ａ）に示されるように、吐出口１１の位置が代表断面Ａに対してＹ方向に低く設定されている場合でも、巻き始め部４１ａから巻き終わり部４１ｂに至るスクロール流路４１と、スクロール流路４１に接続される吐出流路４２とを備えた圧縮気体流路４０が採用され得る。代表断面Ａの下流側において、緩やかに湾曲する第２流路部分Ｆ２が形成されており、第２流路部分Ｆ２の途中には、第２流路部分Ｆ２に面する舌部３０が位置している。
【００４８】
また、図１０（ｂ）に示されるように、吐出口１１の位置が代表断面Ａに対してＹ方向に高く設定されている場合でも、巻き始め部５１ａから巻き終わり部５１ｂに至るスクロール流路５１と、スクロール流路５１に接続される吐出流路５２とを備えた圧縮気体流路５０が採用され得る。代表断面Ａの下流側において、第２流路部分Ｆ２が形成されており、第２流路部分Ｆ２の途中には、第２流路部分Ｆ２に面する舌部３０が位置している。
【００４９】
このような圧縮気体流路４０，５０によっても、図８（ａ）に示されるのと同様の作用・効果が奏される。
【００５０】
第１流路部分Ｆ１と第２流路部分Ｆ２とは、連続する場合に限られない。第１流路部分Ｆ１と第２流路部分Ｆ２との間に、所定の長さにわたってストレートな流路部分が設けられてもよい。この場合、変曲点は存在しないことになり、第１流路部分Ｆ１と第２流路部分Ｆ２とが、ストレートな流路部分によって連通される。
【００５１】
吐出口の形状は、スクロール流路の略周方向に延在する場合に限られない。例えば、紙面方向に湾曲した形状が設けられてもよい。この場合、例えば、原点Ｃを通る中心軸線に直交する面で切断した断面図に投影した形状に基づいて、上述した実施形態と同様に、巻き始め部から巻き終わり部に至るスクロール流路と、スクロール流路に接続される吐出流路とを備えたスクロール流路が採用され得る。
【００５２】
本発明は、過給機１に限られず、あらゆる遠心圧縮機に適用可能である。また、遠心圧縮機３の吸入口９から見て、スクロール流路の渦巻きは、時計回りに巻き始め部から巻き終わり部にかけて形成する場合に限られない。例えば、吸入口９から見て、スクロール流路の渦巻きが反時計回りに巻き始め部から巻き終わり部にかけて形成されてもよい。
【産業上の利用可能性】
【００５３】
本開示のいくつかの態様によれば、気体の流れが舌部に衝突することを抑制し、その結果として損失を低減し、吐出部における効率の低下を抑制することができる。
【符号の説明】
【００５４】
１  過給機
３  コンプレッサ（遠心圧縮機）
２０  圧縮気体流路
２１  スクロール流路
２２  吐出流路
２３  内側壁部
２４  外側壁部
２５  外側壁部
２６  内側壁部
３０  舌部
４０  圧縮気体流路
４１  スクロール流路
４２  吐出流路
５０  圧縮気体流路
５１  スクロール流路
５２  吐出流路
Ｃ  原点
Ｆ１  第１流路部分
Ｆ２  第２流路部分
Ｌ  中心線
【図１】
2017098911.tif 000003
【図２】
2017098911.tif 000004
【図３】
2017098911.tif 000005
【図４】
2017098911.tif 000006
【図５】
2017098911.tif 000007
【図６】
2017098911.tif 000008
【図７】
2017098911.tif 000009
【図８】
2017098911.tif 000010
【図９】
2017098911.tif 000011
【図１０】
2017098911.tif 000012
【国際調査報告】
2017098911.tif 000013
2017098911.tif 000014